(57)【特許請求の範囲】
【請求項１】
洗い場床の略全面をカバーする底板と、その周縁全周にわたって立ち上がる周壁と、底板下面に縦横に多数走るリブとが一体成形された角箱状の設備ユニット用の防水パンであって、設備ユニットに立設するドアに対応して周壁及び底板の一部に２箇所の切欠きが形成され、この切欠きの一方に裏面及び排水溝の取付ガイドに取り付ける一体構成となるドア下枠を設置し、このドア下枠が、その一部を開口され、この開口を残して前記切欠きの一部を覆うようにドア下枠カバーを配置した防水パン。
【請求項２】
請求項１に記載の防水パンを組み込んだ設備ユニット。
【発明の詳細な説明】
【０００１】
【発明の属する技術分野】
本発明は、浴室ユニット、シャワーユニット等の多量の水（又は湯）を使用する設備ユニットの床に好適に用いられる防水パンに関する。
【０００２】
【従来の技術】
従来の浴室ユニットの出入口においては、通常、高い段差がある。図７に浴室ユニットによく用いられている防水パンの従来例を示した。この防水パン１０１は角箱状で、方形の底板１０２とその周囲を立ち上がらせた側壁１０３とその側壁の先端部を水平に折曲させた壁付け面１０４とその先端を立ち上がらせた立上り壁１０５と底板下面に縦横に多数走るリブ１０６とからなり、通常、これらは一体に成形されている。
また、浴室ユニットのドアに対応して、浴室ユニットの周壁（上の例で言えば、側壁と壁付け面と立上り壁）の一部に切欠きを形成させた浴室用防水パンも知られている（特公昭６０−２５５６７号公報等）。
【０００３】
【発明が解決しようとする課題】
住宅環境を初めとする生活環境は、高齢者やハンディキャップがある人にとっても快適なように段差等の障害をなくすこと、すなわち、バリアフリーにすることが近年、強く望まれている。しかし、上記した防水パンは、必ずしも浴室ユニットの出入口の段差をなくすのに適した構造とはいえない。本発明の目的は、浴室ユニット等の出入口における段差をなくすのに適し、かつ、できるだけ単純な構造の防水パンを提供することである。
【０００４】
【課題を解決するための手段】
本発明は、上記目的を達成する防水パンを提供する。すなわち、本発明の防水パンは、洗い場床の略全面をカバーする底板と、その周縁全周にわたって立ち上がる周壁と、底板下面に縦横に多数走るリブとが一体成形された角箱状の設備ユニット用の防水パンであって、設備ユニットに立設するドアに対応して周壁及び底板の一部に２箇所の切欠きが形成され、この切欠きの一方に裏面及び排水溝の取付ガイドに取り付ける一体構成となるドア下枠を設置し、このドア下枠が、その一部を開口され、この開口を残して前記切欠きの一部を覆うようにドア下枠カバーを配置したものである。
また、本発明は、上記防水パンを組み込んだ設備ユニットにも関する。
【０００５】
【発明の実施の形態】
以下、本発明の防水パンの実施の形態について、図面を参照しながら更に具体的に説明する。
図１は本発明に係る一例の防水パンの平面図、図２はそのＡ−Ａ断面図、図３は斜視図をそれぞれ示す。図１〜３に示すように、本発明に係る防水パン１は、洗い場床の略全面をカバーする底板２と、その周縁全周にわたって立ち上がる周壁３と、底板下面に縦横に多数走る補強用のリブ５とが一体成形された角箱形状のものであり、底板の周囲６が壁載置部又はドア枠載置部となる。また、底板の一部には洗い場の湯水を排水するための排水口４が設けられ、この排水口４の上には排水蓋が載置される。
【０００６】
図４は、本発明に係る切欠きのある一例の防水パン（斜視図）である。この防水パン１は、洗い場床の略全面をカバーする底板２と、その周縁全周にわたって立ち上がる周壁３と、底板下面に縦横に多数走る補強用のリブ５とが一体成形された角箱形状のものであり、底板の一部には洗い場の湯水を排水するための排水口４が設けられ、この排水口４の上には排水蓋が載置される点は上記防水パンの同じであるが、底板の周囲６（壁載置部又はドア枠載置部）及び周壁３の一部が図４に示されるように浴室ユニットに立設するドアに対応する位置に切欠き７が形成されている。なお、図４ではこの切欠きは１箇所に形成されている。
図５は、本発明に係る切欠きのある他の例の防水パン（斜視図）で、切欠きは２箇所に形成されている例である。切欠きを２箇所に設ける利点は、建築プランによってドア位置が変わりうるが、それに対応するためで、７、７ａのいずれの位置にドアを配置してもよい。
【０００７】
本発明に係る防水パンは、切欠き７，７ａの有無にかかわらず、通常、ＳＭＣ、ＢＭＣ等の強化プラスチック成形材料をプレス成形することにより、一体成形品として得ることができる。また、ジシクロペンタジエンを原料とする反応射出成形や、ポリプロピレン、ポリエチレン、ポリスチレン、ＡＢＳ樹脂等の熱可塑性樹脂を用いて成形品とすることもできる。
【０００８】
次に、上記の切欠きある防水パンを用いた浴室ユニットの出入口の構造を説明する。
図６は、切欠きのある防水パンに排水溝、ドア下枠を取り付け、更にドア枠、ドア等を取り付けた際の出入口近辺の部分断面図である。図６から明らかなように、切り欠かれた床１の裏側及び排水溝９の取付けガイド１０にドア下枠１１を取り付ける構造で、位置合わせが容易な構造としている。また、パッキング１４を圧縮することで防水を行っているため、簡略でかつ確実な組立作業が可能である。防水はパッキング１４の圧縮とコーキングとを併用してもよい。ドア下枠１１の概ね下方に排水溝９が設けられ、その排水溝９の上面には開口部分（図６には表れていない）があり、ドア下枠１１からの水が排水されるようになっている。
【０００９】
また、ドア下枠１１の一部は開口されており、切り欠かれた床１の一部を覆うようにドア下枠カバー１５を取り付けた状態でも開口部１６があるので、ドア下枠１１に水を流入できる構造となっている。ドア下枠１１は排水溝９と一体構成となっていて、ドア下枠カバー１５の簡単な着脱性とあいまって、排水溝９を容易に掃除できるようになっている。
ドア下枠１１は浴室ユニット側の床１と脱衣室側の床８にわたって取り付けられており、出人口の段差はドア下枠カバーの肉厚分に抑えられている。ドア下枠カバーの肉厚分は約３ｍｍであり、したがって、出入口段差は約３ｍｍに抑えられている。
ドア下枠１１とドア枠１２は分離可能であり、現場でジョイントでき、浴室ユニットを現場で容易に組み立てることができる。
【００１０】
以上の例は、洗い場用防水パンの例で説明したが、これに限定されず、浴槽載置場と洗い場が一体成形された浴室用防水パンやシャワーユニット用防水パンであっても同様に応用できる。
【００１１】
浴室ユニットにあっては、防水パンのコーナー部にコーナー支柱を立て、平面部にはフラット支柱を立て、ドア枠、ドア、壁パネルをはめ込み、固定させ、上部には天井パネルを載置し、一方に浴槽、他方に洗い場を設け、給水装置、給湯装置、照明装置、換気装置、排水管等のその他の付帯設備を設けて完成される。
【００１２】
【発明の効果】
本発明の切欠きのない防水パンは、従来の防水パンよりも単純な構造であり、設備ユニットの出入口の段差をなくす（又は少なくする）のに適した防水パンである。また、切欠きのない防水パンから切欠きのある防水パンを容易につくることができる。
本発明の切欠きのある防水パンは、従来の切欠きのある防水パンよりも単純な構造であり、これとこの防水パンに適した排水構造とを組み合わせて、出入口に段差がほとんどない（３ｍｍ程度の段差）設備ユニットを提供できる。
本発明の設備ユニットは、出入口に段差がほとんどない。にもかかわらず、脱衣室側に漏水しない。
【図面の簡単な説明】
【図１】本発明に係る一例の防水パンの平面図である。
【図２】図１の防水パンのＡ−Ａ断面図である。
【図３】図１の防水パンの斜視図である。
【図４】本発明に係る切欠きのある一例の防水パンの斜視図である。
【図５】本発明に係る切欠きのある他の例の防水パンの斜視図である。
【図６】本発明に係る切欠きのある防水パンにドア下枠、排水溝を取り付け、更にドア枠、ドア等を取り付けた出入口の断面図である。
【図７】従来例の防水パンで、（ａ）は斜視図、（ｂ）は（ａ）のＢ−Ｂ断面図である。
【符号の説明】
１：防水パン                      ２：底板
３：立上り周壁                    ４：洗い場の排水口
５：リブ                          ６：壁載置部又はドア枠載置部
７：切欠き部                      ７ａ：切欠き部
８：脱衣室床                      ９：排水溝
１０：取付けガイド                １１：ドア下枠
１２：ドア枠                      １３：ドア
１４：パッキング                  １５：ドア下枠カバー
１６：開口部
１０１：防水パン                １０２：底板
１０３：側壁                    １０４：壁付け面
１０５：立上り壁                １０６：リブ
【図１】
0003918973.tif 000002
【図２】
0003918973.tif 000003
【図３】
0003918973.tif 000004
【図４】
0003918973.tif 000005
【図５】
0003918973.tif 000006
【図６】
0003918973.tif 000007
【図７】
0003918973.tif 000008